(57)【要約】【課題】額縁領域においてタッチ検出機能を実現することが可能な表示装置を提供することにある。【解決手段】実施形態によれば、画素信号に基づいて表示領域に画像を表示する表示装置が提供される。表示装置は、第１基板と、当該第１基板と対向する第２基板と、当該表示領域の外側の額縁領域に重畳するように第１基板に配置される第１電極と、当該表示領域に重畳するように第２基板に配置される複数の第２電極と、第１電極に対する駆動信号を出力し、当該第１電極と複数の第２電極との間の静電容量に基づいて額縁領域に対する物体の接触または近接を検出するタッチ検出ドライバとを具備する。【選択図】図７
2018124650.tif 000002
【特許請求の範囲】
【請求項１】
画素信号に基づいて表示領域に画像を表示する表示装置において、
第１基板と、
前記第１基板と対向する第２基板と、
前記表示領域の外側の額縁領域に重畳するように前記第１基板に配置される第１電極と、
前記表示領域に重畳するように第２基板に配置される複数の第２電極と、
前記第１電極に対する駆動信号を出力し、前記第１電極と前記複数の第２電極との間の静電容量に基づいて前記額縁領域に対する物体の接触または近接を検出するタッチ検出ドライバと
を具備する表示装置。
【請求項２】
前記表示領域に重畳するように前記第１基板に配置される複数の第３電極を更に具備し、
前記タッチ検出ドライバは、前記複数の第３電極に対する駆動信号を出力し、前記複数の第２電極と前記複数の第３電極との間の静電容量に基づいて前記表示領域に対する物体の接触または近接を検出する
請求項１記載の表示装置。
【請求項３】
前記第１電極及び前記複数の第３電極と前記複数の第２電極との間の相互静電容量に基づいて前記物体の接触または近接を検出する第１の検出動作と、前記第１電極及び前記複数の第３電極の各々の自己静電容量に基づいて前記物体の接触または近接を検出する第２の検出動作とを切り替える切替部を更に具備する請求項２記載の表示装置。
【請求項４】
前記表示領域は、矩形形状を有し、
前記複数の第２電極は、前記表示領域の第１の辺に沿う第１の方向に延出し、当該第１の辺に隣接する第２の辺に沿う第２の方向に配列され、
前記複数の第３電極は、前記第２の方向に延出し、前記第１の方向に配列され、
前記第１電極は、前記第２の方向に延出し、前記表示領域を挟んで対向するように前記第１基板に複数配置される
請求項２記載の表示装置。
【請求項５】
前記第１電極と、前記複数の第３電極の配列において前記第１電極側の端に位置する第３電極との間の間隔は、当該複数の第３電極の配列において隣接する第３の電極の間隔よりも広い、請求項４記載の表示装置。
【請求項６】
前記第１電極は、前記複数の第２電極と前記タッチ検出ドライバとを接続する配線と重ならない位置に配置される、請求項５記載の表示装置。
【請求項７】
前記駆動信号は、前記第１電極及び前記複数の第３電極に順次供給される、請求項２記載の表示装置。
【請求項８】
前記第１電極及び前記複数の第３電極は透明な導電材料で形成される、請求項２記載の表示装置。
【請求項９】
前記第１基板に配置されているシールド電極の一部を前記第１電極として用いる、請求項８記載の表示装置。
【請求項１０】
前記第１電極は、前記第１基板に配置されているシールド電極と前記複数の第３電極との間に配置される、請求項８記載の表示装置。
【請求項１１】
前記額縁領域に重畳するように前記第２基板に配置される第４電極を更に具備し、
前記タッチ検出ドライバは、前記複数の第３電極と前記第４電極との間の静電容量に基づいて前記前記額縁領域に対する物体の接触または近接を検出する
請求項２記載の表示装置。
【請求項１２】
前記表示領域は、矩形形状を有し、
前記複数の第２電極は、前記表示領域の第１の辺に沿う第１の方向に延出し、当該第１の辺に隣接する第２の辺に沿う第２の方向に配列され、
前記複数の第３電極は、前記第２の方向に延出し、前記第１の方向に配列され、
前記第４電極は、前記第１の方向に延出し、前記表示領域を挟んで対向するように前記第２基板に複数配置される
請求項１１記載の表示装置。
【請求項１３】
前記第２基板に配置されている金属材料で形成されたシールド電極の少なくとも一部を前記第４電極として用いる、請求項１１記載の表示装置。
【請求項１４】
前記シールド電極は、前記第１電極及び前記第３電極に対して出力される駆動信号に基づいて生じるノイズをシールドする位置に配置される、請求項１３記載の表示装置。
【請求項１５】
前記表示領域に画像を表示するための複数の共通電極を前記複数の第３電極として用いる請求項２記載の表示装置。
【請求項１６】
前記表示領域を表示する表示動作と前記物体の接触または近接を検出する検出動作とは時分割で実行される請求項１５記載の表示装置。
【請求項１７】
画素信号に基づいて表示領域に画像を表示する表示装置において、
第１基板と、
前記第１基板と対向する第２基板と、
前記表示領域に重畳するように前記第１基板に配置される複数の第１電極と、
前記表示領域の外側の額縁領域に重畳するように前記第２基板に配置される第２電極と、
前記複数の第１電極に対する駆動信号を出力し、前記複数の第１電極と前記第２電極との間の静電容量に基づいて前記額縁領域に対する物体の接触または近接を検出するタッチ検出ドライバと
を具備する表示装置。
【発明の詳細な説明】
【技術分野】
【０００１】
本発明の実施形態は、表示装置に関する。
【背景技術】
【０００２】
近年では、例えばスマートフォン及びタブレットコンピュータのような電子機器が広く普及している。このような電子機器においては、タッチ検出機能を有する表示装置（以下、タッチ検出機能付き表示装置と表記）が採用されている。
【０００３】
タッチ検出機能付き表示装置においては、表示領域（アクティブエリア）に対する例えば指先またはペン等の物体（外部近接物体）の接触または近接等を検出することができる。
【先行技術文献】
【特許文献】
【０００４】
【特許文献１】特開２０１０−１７６２９７号公報
【発明の概要】
【発明が解決しようとする課題】
【０００５】
ところで、上記したタッチ検出機能付き表示装置の表示領域の周辺には額縁領域が設けられている。
【０００６】
この額縁領域を有効に利用するためには、当該額縁領域におけるタッチ検出機能を実現し、当該額縁領域においても物体の接触または近接等を検出することが有用である。
【０００７】
そこで、本発明が解決しようとする課題は、額縁領域においてタッチ検出機能を実現することが可能な表示装置を提供することにある。
【課題を解決するための手段】
【０００８】
実施形態によれば、画素信号に基づいて表示領域に画像を表示する表示装置が提供される。前記表示装置は、第１基板と、前記第１基板と対向する第２基板と、前記表示領域の外側の額縁領域に重畳するように前記第１基板に配置される第１電極と、前記表示領域に重畳するように第２基板に配置される複数の第２電極と、前記第１電極に対する駆動信号を出力し、前記第１電極と前記複数の第２電極との間の静電容量に基づいて前記額縁領域に対する物体の接触または近接を検出するタッチ検出ドライバとを具備する。
【図面の簡単な説明】
【０００９】
【図１】実施形態に係る表示装置の概略構成を示す斜視図。
【図２】表示パネルの概略構成を示す図。
【図３】タッチ検出機構の基本動作を説明するための図。
【図４】表示装置における表示期間及びタッチ検出期間との関係の一例について説明するための図。
【図５】表示装置の外観の一例を示す図。
【図６】本実施形態に対する比較例の一例を示す図。
【図７】額縁領域用の電極の位置関係の一例について説明するための図。
【図８】図７に示す表示装置のＡ−Ａ線に沿った断面図。
【図９】図７に示す表示装置のＢ−Ｂ線に沿った断面図。
【図１０】表示パネルの回路構成の一例について説明するための図。
【図１１】タッチ検出動作を説明するためのタイミングチャート。
【図１２】スマートフォンを片手で把持している状態を示す図。
【図１３】第１基板に形成されているシールド電極の一例を示す図。
【図１４】シールド電極の一部を駆動電極として使用する場合について説明するための図。
【図１５】第２基板に形成されているシールド電極の一例を示す図。
【図１６】シールド電極の一部をタッチ検出電極として使用する場合について説明するための図。
【発明を実施するための形態】
【００１０】
以下、図面を参照して、実施形態について説明する。  
なお、開示はあくまで一例にすぎず、当業者において、発明の趣旨を保っての適宜変更について容易に想到し得るものについては、当然に本発明の範囲に含有される。また、図面は、説明をより明確にするため、実際の態様に比べて模式的に表される場合があるが、あくまで一例であって、本発明の解釈を限定するものではない。各図において、連続して配置される同一または類似の要素については符号を省略することがある。また、本明細書と各図において、既出の図に関して前述したものと同一または類似した機能を発揮する構成要素には同一の参照符号を付し、重複する詳細な説明を省略することがある。
【００１１】
図１は、本実施形態に係る表示装置の概略構成を示す斜視図である。本実施形態に係る表示装置は、タッチ検出機能を有する表示装置である。このような表示装置としては、当該表示装置の表示面上にタッチパネルを形成したいわゆるオンセル型と称されるタッチ検出機構を備えるものの他に、当該表示装置にもともと備えられている画像表示用の共通電極を、一対のタッチ検出用の電極のうちの一方として兼用し、他方の電極（タッチ検出電極）をこの共通電極と交差するように配置した、いわゆるインセル型と称されるタッチ検出機構を備えるものがある。以下の説明において、本実施形態に係る表示装置はインセル型と称されるタッチ検出機構を備えるものとして説明する。
【００１２】
図１に示す表示装置１０は、表示パネル１１を備える。表示パネル１１としては、表示機能層として液晶層を用いた表示パネル及び有機発光層を用いた有機エレクトロルミネッセンス（ＥＬ）パネル等が用いられるが、ここでは液晶層を用いた表示パネルについて説明する。
【００１３】
表示パネル１１は、第１基板１１１（アレイ基板）と、当該第１基板１１１に対向配置された第２基板１１２（対向基板）と、第１基板１１１及び第２基板１１２の間に形成された液晶層（図示せず）とを備える。なお、例えば第１基板１１１上には、表示パネル１１を駆動するパネルドライバ（液晶ドライバ）１１３が搭載されている。パネルドライバ１１３は、表示パネル１１を駆動することにより、当該表示パネル１１の表示領域ＤＡ（アクティブエリア）に画像を表示することができる。
【００１４】
また、表示パネル１１は、例えば容量変化検出型のタッチ検出機構１２と一体化して構成されている。
【００１５】
タッチ検出機構１２は、複数のタッチ検出電極Ｒｘを備える。複数のタッチ検出電極Ｒｘは、第２基板１１２上の、表示パネル１１の表示領域ＤＡに重畳する位置に配置されている。タッチ検出電極Ｒｘは、例えば透明電極であり、ＩＴＯ（インジウム・ティン・オキサイド）等の透明な導電材料によって形成される。なお、タッチ検出電極Ｒｘは、表示パネル１１の外部に設けられていてもよいし、内部に設けられていてもよい。タッチ検出機構１２は、フレキシブル配線基板ＦＰＣ２を介してタッチ検出ドライバ１２１と接続される。
【００１６】
また、図１には示されていないが、表示パネル１１においては、第１基板１１１上に上記した画像表示用の複数の共通電極が設けられている。本実施形態において、この複数の共通電極は、タッチ検出用の電極のうちの一方として用いられ、上記したタッチ検出電極Ｒｘと対向する位置に配置されている。共通電極は、例えばＩＴＯ（インジウム・ティン・オキサイド）等の透明な導電材料によって形成されている。
【００１７】
本実施形態に係る表示装置１０においては、タッチ検出電極Ｒｘと共通電極との間の静電容量（相互静電容量）に基づいて表示領域ＤＡに対する物体（被検出部）の接触または近接を検出することができる。なお、表示装置１０においては物体の接触または近接を検出することが可能であるが、以下の説明においては、便宜的に単に物体の接触を検出するものとして説明する。
【００１８】
また、表示パネル１１の外部には例えばホスト装置ＨＯＳが設けられ、当該ホスト装置ＨＯＳは、フレキシブル配線基板ＦＰＣ１及びパネルドライバ１１３を介して、表示パネル１１に接続されている。また、ホスト装置ＨＯＳは、フレキシブル配線基板ＦＰＣ２及びタッチ検出ドライバ１２１を介して、タッチ検出機構１２に接続されている。
【００１９】
なお、パネルドライバ１１３及びタッチ検出ドライバ１２１は、同一チップとして構成されていても構わない。タッチ検出ドライバ１２１をパネルドライバ１１３と同一チップとする場合には、当該チップを例えば第２基板１１２、フレキシブル配線基板ＦＰＣ１またはフレキシブル配線基板ＦＰＣ２上に配置することにより、フレキシブル配線基板ＦＰＣ１またはフレキシブル配線基板ＦＰＣ２等を省略してもよい。
【００２０】
第１基板１１１の下側（つまり、表示パネル１１の背面側）には、表示パネル１１を照明する照明具としてバックライトユニット１３が配置されている。フレキシブル配線基板ＦＰＣ３は、バックライトユニット１３とホスト装置ＨＯＳとを接続する。バックライトユニット１３としては、種々の形態のバックライトユニットが利用可能であり、光源としては、発光ダイオード（ＬＥＤ）を利用したもの及び冷陰極間（ＣＣＦＬ）を利用したもの等がある。ここでは、表示パネル１１の背面側に配置されるバックライトユニット１３を使用する場合について説明したが、当該表示パネル１１の表示面側に配置されるフロントライトが使用されても構わない。また、導光板とそのサイドに配置されるＬＥＤまたは冷陰極管を用いた照明具が使用されてもよいし、発光素子を平面的に配列した点状光源を用いた照明具が使用されてもよい。なお、表示装置１０が反射型の表示装置である場合、または表示パネル１１が有機ＥＬを用いている場合には、表示装置１０は照明具を備えない構成であってもよい。
【００２１】
また、本実施形態における表示パネル１１は、透過型、反射型、半透過型のいずれであってもよい。透過型の表示パネル１１が適用された表示装置１０には、上記の通り、第１基板１１１の背面側にバックライトユニット１３を備え、当該バックライトユニット１３からの光を選択的に透過させることで画像を表示する透過表示機能を有している。反射型の表示パネル１１が適用される表示装置１０は、光を反射する反射層を液晶層より表示パネル１１の背面側に有し、第２基板１１２の前面側（表示面側）からの光を選択的に反射させることで画像を表示する反射表示機能を有している。なお、反射型の表示パネル１１の前面側には、補助光源が備えられてもよい。また、反射層は、金属等の反射機能を有する材料で液晶層より表示パネル１１の背面側にある電極を形成するように構成されていてもよい。半透過型の表示パネル１１が適用される表示装置１０は、上記の透過表示機能及び反射表示機能を有している。
【００２２】
図２は、表示装置１０に備えられる表示パネル１１の概略構成を示す。図２に示すように、表示パネル１１には、マトリクス上に配置された複数の表示画素ＰＸ（表示素子）が設けられている。更に、表示パネル１１には、複数の表示画素ＰＸが配列する行に沿って延びる走査線Ｇ（Ｇ１、Ｇ２、…、Ｇｍ）と、複数の表示画素ＰＸが配列する列に沿って延びる信号線Ｓ（Ｓ１、Ｓ２、…、Ｓｎ）と、走査線Ｇと信号線Ｓとが交差する位置近傍に配置された画素スイッチＳＷとが備えられている。
【００２３】
画素スイッチＳＷは、薄膜トランジスタ（ＴＦＴ：Thin Film Transistor）を含む。画素スイッチＳＷのゲート電極は、対応する走査線Ｇと電気的に接続されている。画素スイッチＳＷのソース電極は、対応する信号線Ｓと電気的に接続されている。また、画素スイッチＳＷのドレイン電極は、対応する画素電極ＰＥと電気的に接続されている。なお、画素スイッチＳＷのソース電極が対応する画素電極ＰＥと接続され、当該画素スイッチＳＷのドレイン電極が対応する信号線Ｓと接続される構成であってもよい。
【００２４】
また、表示パネル１１には、複数の表示画素ＰＸを駆動するためにゲートドライバＧＤ及びソースドライバＳＤが設けられている。複数の走査線Ｇは、ゲートドライバＧＤの出力端子と電気的に接続されている。複数の信号線Ｓは、ソースドライバＳＤの出力端子と電気的に接続されている。
【００２５】
ゲートドライバＧＤは、複数の走査線Ｇにオン電圧を順次印加して、選択された走査線Ｇに電気的に接続された画素スイッチＳＷのゲート電極にオン電圧を供給する。ゲート電極にオン電圧が供給された画素スイッチＳＷの、ソース電極−ドレイン電極間が導通する。
【００２６】
ソースドライバＳＤは、複数の信号線Ｓのそれぞれに対応する出力信号を供給する。信号線Ｓに供給された信号は、ソース電極−ドレイン電極間が導通した画素スイッチＳＷを介して、対応する画素電極ＰＥに印加される。
【００２７】
更に、表示パネル１１は、共通電極ドライバＣＤを備える。共通電極ドライバＣＤは、共通電極ＣＯＭＥに駆動信号を供給する（駆動電圧を印加する）回路である。上記した画素電極ＰＥ及び共通電極ＣＯＭＥは、絶縁膜を介して対向配置されている。画素電極ＰＥ、共通電極ＣＯＭＥ及び絶縁膜は、保持容量ＣＳを形成する。複数の共通電極ＣＯＭＥは、走査線Ｇが延出する方向と交差する方向に延出するように配置されている。
【００２８】
なお、ゲートドライバＧＤ、ソースドライバＳＤ及び共通電極ドライバＣＤは、表示パネル１１の周囲の領域（額縁）に配置され、上記したパネルドラバ１１３によって制御される。更に、パネルドライバ１１３は、バックライトユニット１３の動作を制御する。
【００２９】
図２においては１つのゲートドライバＧＤのみが示されているが、表示パネル１１は、複数のゲートドライバＧＤを備える構成であってもよい。例えば２つのゲートドライバＧＤを備える場合、複数の走査線Ｇのうち、一方のゲートドライバＧＤが走査線Ｇ１、Ｇ３、…、Ｇｍ−１と接続され、他方のゲートドライバＧＤが走査線Ｇ２、Ｇ４、…、Ｇｍと接続されるように構成される。なお、２つのゲートドライバＧＤは、例えば複数の表示画素ＰＸを挟んで対向するように配置される。
【００３０】
図３は、上記したタッチ検出機構１２の基本動作を説明するための図である。ここでは、相互容量（mutual）検出方式によるタッチ検出動作（物体の接触を検出する動作）について説明する。
【００３１】
相互容量検出方式のタッチ検出機構１２においては、第２基板１１２上で例えばＸ方向（第１の方向）にストライプ状に形成されているタッチ検出電極（検出素子）Ｒｘと、第１基板ＳＵＢ１上でＹ方向（第２方向）にストライプ状に形成されている駆動電極Ｔｘとによりタッチ検出機能が実現される。図３に示すように、タッチ検出電極Ｒｘと駆動電極Ｔｘとは、互いに交差する関係である。この駆動電極Ｔｘとしては、上述した画像表示用の共通電極ＣＯＭＥが用いられる。
【００３２】
なお、タッチ検出電極ＲｘがＹ方向にストライプ状に形成され、駆動電極ＴｘがＸ方向にストライプ状に形成されてもよい。
【００３３】
このような構成において、駆動電極Ｔｘは、順次高周波パルスの駆動信号（タッチ駆動信号）により駆動される。この場合、例えば指先等の物体が近接しているタッチ検出電極Ｒｘからは、他のタッチ検出電極Ｒｘからの出力に比べて、レベルの低いタッチ検出信号が検出される。これは、指先が近接しているタッチ検出電極Ｒｘと駆動電極Ｔｘとの間に生じている第１容量に加えて、当該タッチ検出電極Ｒｘと指先との間に第２容量が発生しているためである。すなわち、タッチ検出電極Ｒｘは、指先に応じた静電容量の変化に基づくタッチ検出信号を出力することができる。
【００３４】
タッチ検出機構１２によれば、上記の駆動電極Ｔｘの駆動タイミングと、レベルの低い検出信号を出力したタッチ検出電極Ｒｘの位置とから、指先の座標位置（接触位置）を判定することができる。
【００３５】
図４は、表示装置１０における表示期間及びタッチ検出期間との関係の一例について説明する。
【００３６】
本実施形態において、表示期間は、表示パネル１１において表示領域ＤＡに画像を表示する表示動作（ゲートドライバＧＤ及びソースドライバＳＤによる表示画素ＰＸに対する駆動動作）が実行される期間を含む。一方、タッチ検出期間は、タッチ検出機構１２において物体の接触を検出するタッチ検出動作（例えば、駆動電極Ｔｘにタッチ駆動信号を供給してタッチ検出信号を検出する動作）が実行される期間を含む。
【００３７】
ここで、上記したようにタッチ検出期間においてタッチ駆動信号が供給される駆動電極Ｔｘとしては、複数のストライプ状の共通電極ＣＯＭＥが用いられる。すなわち、表示領域ＤＡに画像を表示するための共通電極ＣＯＭＥがタッチ検出用の駆動電極Ｔｘとしても利用されるため、本実施形態において、表示動作とタッチ検出動作とはタイムシェアリング（時分割）で実行される。
【００３８】
具体的には、図４に示すように、上記した表示動作によって１フレームの画像が表示される期間（以下、１フレーム期間と表記）は、複数のユニットで構成される。１ユニット内は、上記した表示期間及びタッチ検出期間に分割される。すなわち、１ユニット内の期間においては、ＲＧＢの３色のうちの１つを選択する信号（ＳＥＬＲ／Ｇ／Ｂ）に対応して色毎の画素信号（ＳＩＧｎ）を出力する動作（表示動作）が複数の表示行（ライン）について実行された後（表示期間）、駆動電極Ｔｘとしての共通電極ＣＯＭＥにタッチ駆動信号（駆動パルスＴＳＶＣＯＭ）を供給する動作が実行される（タッチ検出期間）。上記したように１フレーム期間は複数のユニットから構成されているため、１フレーム期間においては、表示期間とタッチ検出期間とが交互に繰り返される。
【００３９】
ここで、本実施形態に係る表示装置１０は、図５に示すような例えばスマートフォン（またはタブレットコンピュータ）等として実現され得る。
【００４０】
表示装置１０がスマートフォン等として実現される場合、当該表示装置１０は、上述した図１に示す表示パネル１１、タッチ検出機構１２及びバックライトユニット１３等に加えて、カバー基材１４及び筐体１５等を備える。
【００４１】
カバー基材１４は、表示パネル１１の表示領域ＤＡ及び当該表示領域ＤＡの外側の額縁領域ＦＡ（周辺領域）を覆うように構成されている。なお、カバー基材１４は、例えば透明なガラスで形成されており、表示パネル１１等を保護する役割を有する。カバー基材１４は、透明な樹脂材料で形成されていても構わない。
【００４２】
また、筐体１５は、表示パネル１１、タッチ検出機構１２及びバックライトユニット１３等を収容する。
【００４３】
ところで、スマートフォンのような表示装置１０において、表示領域ＤＡに重畳する位置にタッチ検出電極Ｒｘ及び駆動電極Ｔｘ（共通電極ＣＯＭＥ）が配置されている場合、例えば額縁領域ＦＡにおいて物体の接触を検出することはできない。
【００４４】
これに対して、額縁領域ＦＡにおいても物体の接触を検出することを可能とした場合には、表示装置１０を使用するユーザは、当該額縁領域ＦＡに対しても各種操作を行うことができるため、利便性が向上する。
【００４５】
そこで、額縁領域ＦＡに対する物体の接触の検出を可能とするために、例えば図６に示すように、表示領域ＤＡに重畳する位置に配置されている駆動電極Ｔｘ（共通電極ＣＯＭＥ）及びタッチ検出電極Ｒｘに加えて、額縁領域ＦＡと重畳するようにカバー基材１４に駆動電極ＴｘＬ及びＴｘＲと、タッチ検出電極ＲｘＢとを配置する構成（以下、本実施形態に対する比較例と表記）を想定する。
【００４６】
このような構成の場合、額縁領域ＦＡと重畳する位置に配置された駆動電極ＴｘＬ及びＴｘＲと、表示領域ＤＡと重畳する位置に配置されたタッチ検出電極Ｒｘとの間の容量変化により額縁領域ＦＡ（ここでは、駆動電極ＴｘＬ及びＴｘＲに対応する領域）に対する物体の接触を検出することができる。また、額縁領域ＦＡと重畳する位置に配置されたタッチ検出電極ＲｘＢと、表示領域ＤＡと重畳する位置に配置された駆動電極Ｔｘとの間の容量変化により額縁領域ＦＡ（ここでは、タッチ検出電極ＲｘＢに対応する領域）に対する物体の接触を検出することができる。
【００４７】
すなわち、本実施形態に対する比較例によれば、表示領域ＤＡに対する物体の接触のみならず、カバー基材１４側の電極（すなわち、駆動電極ＴｘＬ、ＴｘＲ及びタッチ検出電極ＲｘＢ）が配置された位置に対応する額縁領域ＦＡに対する物体の接触をも検出することが可能となる。
【００４８】
ここで、上記した駆動電極ＴｘＬ、ＴｘＲ及びタッチ検出電極ＲｘＢ（以下、額縁領域ＦＡ用の電極と表記）を用いたタッチ検出動作を実行するためには、当該額縁領域ＦＡ用の電極をタッチ検出ドライバ１２１と接続する必要がある。
【００４９】
しかしながら、本実施形態に対する比較例においては、額縁領域ＦＡ用の電極はカバー基材１４に配置されている。この場合、額縁領域ＦＡ用の電極をタッチ検出ドライバ１２１と接続するためには、カバー基材１４及び第２基板１１２と接続されるフレキシブル配線基板ＦＰＣ２を接続するためのフレキシブル配線基板を別途設ける必要がある。
【００５０】
このような構成では、フレキシブル配線基板を設けるためのコストが必要となる上に、当該フレキシブル配線基板を設けることによる構成上の制約が生じる。更には、カバー基材１４に額縁領域ＦＡ用の電極を配置するコストも必要となる。
【００５１】
また、本実施形態に対する比較例のように額縁領域ＦＡ用の電極をカバー基材１４に配置する場合、当該カバー基材１４の破損（割れ）によって額縁領域ＦＡに対する物体の接触を検出することができなくなる可能性がある。
【００５２】
更に、図６においては表示領域ＤＡの下側にタッチ検出電極ＲｘＢが配置されているが、ユーザの利便性の向上の観点からは、例えば当該表示領域ＤＡの上側にもタッチ検出電極（以下、タッチ検出電極ＲｘＵと表記）を配置することが好ましい。この場合には、表示領域ＤＡの上側の額縁領域ＦＡにおいても物体の接触を検出することができ、表示装置１０の用途の幅を広げることが可能となる。
【００５３】
しかしながら、本実施形態にする比較例のように額縁領域ＦＡ用の電極をカバー基材１４に配置する構成では、表示領域ＤＡの上側に配置されたタッチ検出電極ＲｘＵからタッチ検出ドライバ１２１（つまり、表示領域ＤＡの下側）までの配線を形成する必要があるため、当該タッチ検出電極ＲｘＵをカバー基材１４に配置する構成は困難である。
【００５４】
そこで、本実施形態においては、上記した額縁領域ＦＡ用の電極である駆動電極ＴｘＬ及びＴｘＲを第１基板１１１に、タッチ検出電極ＲｘＢ及びＲｘＵを第２基板１１２に配置する構成を採用する。
【００５５】
以下、図７を参照して、本実施形態に係る表示装置１０における駆動電極Ｔｘ及びタッチ検出電極Ｒｘと、額縁領域ＦＡ用の電極（駆動電極ＴｘＬ、ＴｘＲ及びタッチ検出電極ＲｘＢ、ＲｘＵ）との位置関係について説明する。図７は、表示装置１０を模式的に示す平面図である。
【００５６】
図７に示すように、表示装置１０において、第１基板１１１及び第２基板１１２は、平面視で重畳して配置される。また、第１基板１１１上に設けられる複数の駆動電極Ｔｘ及び第２基板１１２上に設けられる複数のタッチ検出電極Ｒｘは、表示パネル１１の表示領域ＤＡと重畳する位置に配置されている。なお、表示領域ＤＡは、例えば長辺と短辺とを有する矩形形状を有する。
【００５７】
複数の駆動電極Ｔｘは、表示領域ＤＡと重畳する位置（範囲）において、当該表示領域ＤＡの長辺（第２の辺）に沿う方向（第２の方向）に延出し、当該表示領域ＤＡの短辺（第２の辺に隣接する第１の辺）に沿う方向（第１の方向）に配列されている。
【００５８】
複数のタッチ検出電極Ｒｘは、表示領域ＤＡと重畳する位置（範囲）において、当該表示領域ＤＡの短辺に沿う方向に延出し、当該表示領域ＤＡの長辺に沿う方向に配列されている。
【００５９】
また、上記したように表示領域ＤＡの外側（周辺）には、額縁領域ＦＡが設けられている。本実施形態において、額縁領域ＦＡは、平面視において表示装置１０の（筐体１５）の外周よりも内側の領域であって、かつ、表示領域ＤＡよりも外側の領域に相当する。なお、額縁領域ＦＡの外周は、例えば略矩形形状を有するものとする。
【００６０】
図７に示すように、この額縁領域ＦＡ（に重畳する位置）には、駆動電極ＴｘＬ及びＴｘＲが配置されている。駆動電極ＴｘＬは、表示領域ＤＡの長辺に沿う方向に延出し、当該表示領域ＤＡの左側の長辺と表示パネル１１（第１基板１１１）の外周の左側の長辺との間に配置されている。駆動電極ＴｘＲは、表示領域ＤＡの長辺に沿う方向に延出し、当該表示領域ＤＡの右側の長辺と表示パネル１１（第１基板１１１）の外周の右側の長辺との間に配置されている。
【００６１】
すなわち、図７に示すように、駆動電極ＴｘＬ及びＴｘＲは、表示領域ＤＡ（駆動電極Ｔｘ）を挟んで対向するように第１基板１１１の額縁領域ＦＡと重畳する位置に配置されている。なお、駆動電極ＴｘＬ及びＴｘＲは、例えば駆動電極Ｔｘ（共通電極ＣＯＭＥ）と平行となるように配置されている。また、駆動電極ＴｘＬと複数の駆動電極Ｔｘの配列において最も左側に位置する駆動電極Ｔｘとの間の間隔は、複数の駆動電極Ｔｘの各々の間隔よりも広くなっている。同様に、駆動電極ＴｘＲと複数の駆動電極Ｔｘの配列において最も右側に位置する駆動電極Ｔｘとの間の間隔は、複数の駆動電極Ｔｘの各々の間隔よりも広くなっている。これは、駆動電極ＴｘＬ及びＴｘＲを、第２基板１１２上のタッチ検出電極Ｒｘとタッチ検出ドライバ１２１とを接続する配線と重ならない位置に配置するためである。
【００６２】
また、額縁領域ＦＡには、タッチ検出電極ＲｘＢ及びＲｘＵが配置されている。タッチ検出電極ＲｘＢは、表示領域ＤＡの短辺に沿う方向に延出し、当該表示領域ＤＡの下側の短辺と表示パネル１１（第２基板１１２）の外周の下側の短辺との間に配置されている。タッチ検出電極ＲｘＵは、表示領域ＤＡの短辺に沿う方向に延出し、当該表示領域ＤＡの上側の短辺と表示パネル１１（第２基板１１２）の外周の上側の短辺との間に配置されている。
【００６３】
すなわち、図７に示すように、タッチ検出電極ＲｘＢ及びＲｘＵは、表示領域ＤＡ（タッチ検出電極Ｒｘ）を挟んで対向するように第２基板１１２の額縁領域ＦＡと重畳する位置に配置されている。なお、タッチ検出電極ＲｘＢ及びＲｘＵは、例えばタッチ検出電極Ｒｘと平行となるように配置されている。
【００６４】
本実施形態に係る表示装置１０は、上記したように額縁領域ＦＡに重畳する位置に配置された額縁領域ＦＡ用の電極と、表示領域ＤＡと重畳する位置に配置された電極との間の容量（変化）を利用することによって、額縁領域ＦＡに対する物体の接触を検出することができる。
【００６５】
なお、図７等においては、省略されているが、駆動電極Ｔｘ（共通電極ＣＯＭＥ）は、図２に示すように走査線Ｇが延出する方向と交差する方向に延出するように配置されている。このため、駆動電極Ｔｘ、ＴｘＬ及びＴｘＲからの配線は、額縁領域ＦＡの短辺側（フレキシブル配線基板ＦＰＣ１側）に引き出すことが可能である。これによれば、共通電極ＣＯＭＥを信号線Ｓと直交する方向に設けた場合と比較して、額縁領域ＦＡの長辺側に共通電極ドライバＣＤを設ける必要がないため、表示領域ＤＡの長辺と額縁領域ＦＡの長辺との間の幅（額縁領域ＦＡの長辺側の幅）を小さくすることができる。
【００６６】
次に、図８及び図９を参照して、本実施形態における額縁領域ＦＡ用の電極を用いたタッチ検出動作について説明する。
【００６７】
図８は、図７に示す表示装置１０のＡ−Ａ線に沿った断面図である。なお、図８においては、図７に示す表示装置１０の左側の部分については省略されている。ここでは、主に駆動電極Ｔｘ及びＴｘＲとタッチ検出電極Ｒｘとについて示し、他の構成については省略されているものとする。
【００６８】
表示装置１０においては、第１基板１１１及び第２基板は互いに対向するように配置されている。
【００６９】
第１基板１１１上には、複数の駆動電極Ｔｘが配置されており、第２基板１１２上には複数のタッチ検出電極Ｒｘが配置されている。また、第２基板１１２上のタッチ検出電極Ｒｘの端部よりも外側（図７においては右側）には、複数のタッチ検出電極Ｒｘの各々とタッチ検出ドライバ１２１とを接続するための配線１１２ａが形成されている。なお、図８においては、便宜的に３本の配線のみが示されている。
【００７０】
ここで、第１基板１１１上には、駆動電極ＴｘＲが配置されている。この駆動電極ＴｘＲは、上記した基板１１２上に形成されている配線１１２ａと重ならないように、当該駆動電極ＴｘＲ側の端に配置されている駆動電極Ｔｘから所定の間隔を空けて配置されている。
【００７１】
この場合において、例えば駆動電極ＴｘＲに対してタッチ駆動信号が供給されると、駆動電極ＴｘＲからタッチ検出電極Ｒｘへの電気力線が生じる（駆動電極ＴｘＲとタッチ検出電極Ｒｘとの間の静電容量が形成される）。
【００７２】
ここで、駆動電極ＴｘＲの近傍（表示領域ＤＡと額縁領域ＦＡとの境界近傍または額縁領域ＦＡ上）に指先（導電物）が接触する場合を想定する。この場合、上記した電気力線が遮断されることにより駆動電極ＴｘＲとタッチ検出電極Ｒｘとの間の容量が変化し、タッチ検出電極Ｒｘの出力電位（タッチ検出信号のレベル）が低下する。
【００７３】
このため、駆動電極ＴｘＲを用いる場合であっても、上述した相互容量検出方式によるタッチ検出動作と同様に額縁領域ＦＡに対する指先の接触を検出することができる。
【００７４】
なお、例えば駆動電極ＴｘＲが配線１１２ａと重なる位置に配置された場合には、当該駆動電極ＴｘＲからタッチ検出電極Ｒｘへの電気力線が生じにくくなるため、当該駆動電極ＴｘＲを配線１１２ａと重ならない位置に配置することによってタッチ検出精度の低下を抑制することができる。
【００７５】
ここでは駆動電極ＴｘＲを用いたタッチ検出動作について説明したが、駆動電極ＴｘＬによるタッチ検出動作であっても同様に指先の接触を検出することができる。
【００７６】
なお、本実施形態においては、額縁領域ＦＡ（と重畳する位置）に配置された駆動電極ＴｘＬ及びＴｘＲと、表示領域ＤＡ（と重畳する位置）に配置されたタッチ検出電極Ｒｘとの間の容量変化により額縁領域ＦＡに対する指先等の接触が検出され、表示領域ＤＡに配置された駆動電極Ｔｘとタッチ検出電極Ｒｘとの間の容量変化により表示領域ＤＡに対する指先等の接触が検出されるため、駆動電極ＴｘＬ及びＴｘＲと駆動電極Ｔｘとを順次駆動した場合には、表示領域ＤＡの外周付近のタッチ検出感度の低下を抑制することができる。
【００７７】
図９は、図７に示す表示装置１０のＢ−Ｂ線に沿った断面図である。なお、図９においては、図７に示す表示装置１０の上側の部分については省略されている。ここでは、主に駆動電極Ｔｘとタッチ検出電極Ｒｘ及びＲｘＢとについて示し、他の構成については省略されているものとする。
【００７８】
上記したように第２基板１１２上にはタッチ検出電極ＲｘＢが配置されるが、当該タッチ検出電極ＲｘＢは、図９に示すように駆動電極Ｔｘの端部よりも外側（図７においては下側）の額縁領域ＦＡと重畳する位置に配置されている。
【００７９】
この場合において、駆動電極Ｔｘに対してタッチ駆動信号が供給されると、駆動電極Ｔｘからタッチ検出電極ＲｘＢへの電気力線が生じる（駆動電極Ｔｘとタッチ検出電極ＲｘＢとの間の静電容量が形成される）。
【００８０】
ここで、タッチ検出電極ＲｘＢの近傍（表示領域ＤＡと額縁領域ＦＡとの境界近傍または額縁領域ＦＡ上）に指先（導電物）が接触する場合を想定する。この場合、上記した電気力線が遮断されることにより駆動電極Ｔｘとタッチ検出電極ＲｘＢとの間の容量が変化し、タッチ検出電極ＲｘＢの出力電位（タッチ検出信号のレベル）が低下する。
【００８１】
このため、タッチ検出電極ＲｘＢを用いる場合であっても、上述した相互容量検出方式によるタッチ検出動作と同様に額縁領域ＦＡに対する指先の接触を検出することができる。
【００８２】
ここではタッチ検出電極ＲｘＢを用いたタッチ検出動作について説明したが、タッチ検出電極ＲｘＵによるタッチ検出動作であっても同様に指先の接触を検出することができる。
【００８３】
本実施形態に係る表示装置１０によれば、上記したように表示領域ＤＡに加えて額縁領域ＦＡをもタッチ検出領域（物体の接触を検出することが可能な領域）とすることが可能である。
【００８４】
以下、図１０を参照して、表示パネル１１の回路構成（パネル回路）の一例について説明する。なお、図１０においては、タッチ検出動作が実行される際（つまり、タッチ検出期間中）に各駆動電極にタッチ駆動信号を供給するための構成について主に説明する。すなわち、図１０においては、表示画素ＰＸに対する駆動動作（つまり、表示動作）を実行するためのゲートドライバＧＤ及びソースドライバＳＤ等については省略されている。
【００８５】
ここで、図１０に示す表示パネル１１においては、複数の駆動電極Ｔｘとして駆動電極Ｔｘ１〜Ｔｘ５が設けられているものとする。駆動電極Ｔｘ１〜Ｔｘ５は、第１基板１１１上の表示領域ＤＡに重畳する位置に配置されている。一方、駆動電極ＴｘＬ及びＴｘＲは、第１基板１１１上の額縁領域ＦＡに重畳する位置に配置されている。上記したタッチ検出動作の実行時には、これらの駆動電極に対してタッチ駆動信号が供給される。
【００８６】
なお、パネルドライバ１１３は、第１基板１１１上に設けられており、レベルシフタ１１３ａを備える。
【００８７】
表示パネル１１は、シフトレジスタ回路、インバータ（ＮＯＴゲート）及びＡＮＤ回路等を備える。シフトレジスタ回路、インバータ及びＡＮＤ回路は、上記した駆動電極ＴｘＬ、Ｔｘ１〜Ｔｘ５及びＴｘＲの各々に対して設けられている。
【００８８】
まず、駆動電極ＴｘＬに対して設けられているシフトレジスタ回路２０１、インバータ２０２、インバータ２０３及びＡＮＤ回路２０４について説明する。
【００８９】
シフトレジスタ回路２０１には、タッチ検出動作に関する制御信号として例えばタッチ検出スタートパルス及びタッチ検出クロックが入力される。このタッチ検出スタートパルス及びタッチ検出クロックによれば、上記した相互容量検出方式によるタッチ検出動作が実行される場合に、駆動電極ＴｘＬ、Ｔｘ１〜Ｔｘ５及びＴｘＲの各々に対して設けられている各シフトレジスタ回路が順次選択される。なお、シフトレジスタ回路２０１が選択された場合、当該シフトレジスタ回路２０１は、「１」を出力する。
【００９０】
インバータ２０２は、シフトレジスタ回路２０１に接続されている。インバータ２０２は、シフトレジスタ回路２０１からの出力が「１」である場合には「０」を出力し、シフトレジスタ回路２０１からの出力が「０」である場合には「１」を出力する。
【００９１】
ここで、タッチ検出機構１２においては、上記した相互容量検出方式以外に、例えば自己容量(self)検出方式によるタッチ検出動作が実行される場合がある。なお、相互容量検出方式は、上記したように駆動電極とタッチ検出電極との間の静電容量（相互静電容量）に基づいて物体の接触を検出する方式である。一方、自己容量検出方式は、単一の電極（例えば、駆動電極）に対する物体の接近または非接近において当該電極の静電容量（自己静電容量）が変化することに基づいて物体の接触を検出する方式である。
【００９２】
インバータ２０３には、検出方式指定信号ＳＥＬＦＥＮが入力される。検出方式指定信号ＳＥＬＦＥＮは、上記した自己容量検出方式によるタッチ検出動作が実行される場合は「１(High)」、相互容量検出方式によるタッチ検出動作が実行される場合は「０(Low)」となる信号である。インバータ２０３は、検出方式指定信号ＳＥＬＦＥＮが「１」である（つまり、自己容量検出方式によるタッチ検出動作が実行される）場合には、「０」を出力する。また、インバータ２０３は、検出方式指定信号ＳＥＬＦＥＮが「０」である（つまり、相互容量検出方式によるタッチ検出動作が実行される）場合には、「１」を出力する。
【００９３】
ＡＮＤ回路２０４の一方の入力端子は、インバータ２０２の出力端子に接続されている。ＡＮＤ回路２０４の他方の入力端子は、インバータ２０３の出力端子に接続されている。ＡＮＤ回路２０４は、両方の入力端子に「１」が入力された場合に「１」を出力し、少なくとも一方の入力端子に「０」が入力された場合に「０」を出力する。
【００９４】
ここで、タッチ検出ドライバ１２１は、フレキシブル配線基板ＦＰＣ２上に配置されており、タッチ検出期間において周期的に電圧が変化するパルス信号である駆動信号ＥＸＶＣＯＭをタッチ駆動信号として出力する。パネルドライバ１１３は、この駆動信号ＥＸＶＣＯＭをレベルシフト及びインピーダンス変換した駆動パルスＴＳＶＣＯＭを各駆動電極（駆動電極ＴｘＬ、Ｔｘ１〜Ｔｘ５、ＴｘＲ）に供給する。なお、パネルドライバ１１３内のレベルシフタ１１３ａは、駆動信号ＥＸＶＣＯＭの信号レベルが例えば１．８Ｖ程度であるものとすると、当該信号レベルを例えば５Ｖ程度に増加させた駆動パルスＴＳＶＣＯＭを出力する。
【００９５】
図１０に示すように、駆動電極ＴｘＬとタッチ検出ドライバ１２１（パネルドライバ１１３）との間には、スイッチ２０５が設けられている。スイッチ２０５は、シフトレジスタ回路２０１の出力が「１」である場合に接続状態（オン状態）となり、当該シフトレジスタ回路２０１の出力が「０」である場合に切断状態（オフ状態）となる。
【００９６】
このスイッチ２０５によれば、シフトレジスタ回路２０１が選択されている場合には、駆動パルスＴＳＶＣＯＭが駆動電極ＴｘＬに供給される。
【００９７】
また、駆動電極ＴｘＬには、スイッチ２０６を介して接地電圧（ＧＮＤ）が供給される。スイッチ２０６は、ＡＮＤ回路２０４の出力が「１」である場合に接続状態となり、当該ＡＮＤ回路２０４の出力が「０」である場合に切断状態となる。このスイッチ２０６によれば、相互容量検出方式によるタッチ検出動作が実行される期間（つまり、検出方式指定信号ＳＥＬＦＥＮが「０」）であり、シフトレジスタ回路２０１が選択されていない（つまり、シフトレジスタ回路２０１の出力が「０」である）場合には、駆動電極ＴｘＬに接地電圧が供給される。
【００９８】
また、本実施形態においては、上記した相互容量検出方式と自己容量検出方式とを切り替えるための切替部としてスイッチ２０７（を含む複数のスイッチ）が設けられている。このスイッチ２０７は、検出方式指定信号ＳＥＬＦＥＮが「１」である場合に接続状態となり、当該検出方式指定信号ＳＥＬＦＥＮが「０」である場合に切断状態となる。これによれば、スイッチ２０７が接続状態にある（つまり、検出方式指定信号ＳＥＬＦＥＮが「１」である）場合、駆動電極ＴｘＬには、タッチ検出ドライバ１２１から出力される自己容量検出方式用のタッチ駆動信号（駆動パルス）が供給される。スイッチ２０７が切断状態にある（つまり、検出方式指定信号ＳＥＬＦＥＮが「０」である）場合、駆動電極ＴｘＬには、上記した駆動パルスＴＳＶＣＯＭ（つまり、相互容量検出方式用のタッチ駆動信号）または接地電圧が供給される。
【００９９】
なお、図１０においては、駆動電極Ｔｘ、Ｔｘ１〜Ｔｘ５及びＴｘＲに供給される自己容量検出方式用のタッチ駆動信号は、それぞれＰａｄＬ、Ｐａｄ１〜５及びＰａｄＲとして表されている。
【０１００】
ここでは、駆動電極ＴｘＬについて説明したが、駆動電極ＴｘＲについても同様であるため、その詳しい説明を省略する。
【０１０１】
また、駆動電極Ｔｘ１に対しては、上記したシフトレジスタ回路２０１、インバータ２０２、インバータ２０３及びＡＮＤ回路２０４と同様のシフトレジスタ回路２１１、インバータ２１２、インバータ２１３及びＡＮＤ回路２１４が設けられている。
【０１０２】
ここで、駆動電極ＴｘＬには上記したスイッチ２０６を介して接地電圧が供給されるが、駆動電極Ｔｘ１には、ＡＮＤ回路２１４の出力に応じて接続状態及び切断状態が切り替えられるスイッチ２１６を介して直流電圧ＶＣＯＭＤＣが供給される。なお、直流電圧（信号）ＶＣＯＭＤＣは、表示動作用の駆動信号に相当する。
【０１０３】
このスイッチ２１６によれば、相互容量検出方式によるタッチ検出動作が実行される期間（つまり、検出方式指定信号ＳＥＬＦＥＮが「０」）であり、シフトレジスタ回路２１１が選択されていない（つまり、シフトレジスタ回路２１１の出力が「０」である）場合には、駆動電極Ｔｘ１に直流電圧ＶＣＯＭＤＣが供給される。
【０１０４】
なお、駆動電極Ｔｘ１に対して設けられている２１５及び２１７については、上記したスイッチ２０５及び２０７と同様であるため、その詳しい説明を省略する。すなわち、駆動電極Ｔｘ１に対して設けられているスイッチ２１７は、駆動電極ＴｘＬに対して設けられているスイッチ２０７とともに相互容量検出方式と自己容量検出方式とを切り替えるための切替部として機能する。
【０１０５】
ここでは、駆動電極Ｔｘ１について説明したが、他の駆動電極Ｔｘ２〜Ｔｘ５についても同様である。なお、駆動電極Ｔｘ１〜Ｔｘ５に対して設けられているシフトレジスタ回路、インバータ及びＡＮＤ回路は、表示パネル１１に設けられる共通電極ドライバＣＤを構成する。
【０１０６】
次に、図１１のタイミングチャートを参照して、本実施形態に係る表示装置１０におけるタッチ検出動作について説明する。
【０１０７】
ここでは、相互容量（mutual）検出方式によるタッチ検出動作が実行された後に、自己容量（self）検出方式によるタッチ検出動作が実行される（つまり、相互容量検出方式から自己容量検出方式に切り替えられる）場合について説明する。なお、図１１においては、タッチ検出期間Ｔ１〜Ｔ７が相互容量検出方式によるタッチ検出動作が実行される期間であり、タッチ検出期間Ｔ８及びＴ９が自己容量検出方式によるタッチ検出動作が実行される期間である。
【０１０８】
相互容量検出方式によるタッチ検出動作が実行される場合には、相互容量検出方式用のタッチ駆動信号が駆動電極ＴｘＬ、Ｔｘ１〜Ｔｘ５及びＴｘＲに順次供給される。
【０１０９】
まず、タッチ駆動信号が駆動電極ＴｘＬに供給されるタッチ検出期間Ｔ１について説明する。
【０１１０】
タッチ検出期間Ｔ１においては、駆動電極ＴｘＬに対して設けられているシフトレジスタ回路２０１が選択される。この場合、シフトレジスタ回路２０１は、「１」を出力する。
【０１１１】
ここで、タッチ検出ドライバ１２１は、上記したようにタッチ駆動信号として例えば信号レベルが１．８Ｖの駆動信号ＥＸＶＣＯＭを出力する。この駆動信号ＥＸＶＣＯＭは、パネルドライバ１１３（レベルシフタ１１３ａ）によってレベルシフト及びインピーダンス変換される。これにより、パネルドライバ１１３は、信号レベルが５Ｖの駆動パルスＴＳＶＣＯＭを出力する。
【０１１２】
上記したようにシフトレジスタ回路２０１の出力（ＳＲｏｕｔＬ）が「１」である場合、スイッチ２０５は接続状態となる。これによれば、駆動電極ＴｘＬには、信号レベル５Ｖの駆動パルスＴＳＶＣＯＭが供給される。
【０１１３】
これにより、タッチ検出ドライバ１２１は、駆動電極ＴｘＬとタッチ検出電極Ｒｘとの間の相互静電容量に基づいて当該駆動電極ＴｘＬが配置されている額縁領域ＦＡに対する物体の接触を検出することができる。
【０１１４】
なお、シフトレジスタ回路２０１が選択されている場合、他のシフトレジスタ回路（駆動電極Ｔｘ１〜Ｔｘ５及びＴｘＲに対して設けられているシフトレジスタ回路）の出力は「０」である。この場合、タッチ検出ドライバ１２１（パネルドライバ１１３）と駆動電極Ｔｘ１〜Ｔｘ５及びＴｘＲの各々との間に設けられているスイッチ（例えば、スイッチ２１５等）は切断状態にあるため、当該駆動電極Ｔｘ１〜Ｔｘ５及びＴｘＲには駆動パルスＴＳＶＣＯＭは供給されない。
【０１１５】
また、図１１に示すように、相互容量検出方式によるタッチ検出動作が実行されている（つまり、検出方式指定信号ＳＥＬＦＥＮが「０」である）場合、自己容量検出方式用のタッチ駆動信号ＰａｄＮはタッチ検出ドライバ１２１から出力されない。なお、図１１におけるタッチ駆動信号ＰａｄＮは、駆動電極ＴｘＬ、Ｔｘ１〜Ｔｘ５及びＴｘＲに供給される自己容量検出方式用のタッチ駆動信号ＰａｄＬ、Ｐａｄ１〜Ｐａｄ５及びＰａｄＲを表す。
【０１１６】
タッチ検出期間Ｔ１においては、シフトレジスタ回路２０１の出力は「１」であるため、インバータ２０２の出力は「０」である。また、検出方式指定信号ＳＥＬＦＥＮは「０」であるため、インバータ２０３の出力は「１」である。この場合、ＡＮＤ回路２０４の一方の入力端子には「０」が入力され、他方の入力端子には「１」が入力されるため、当該ＡＮＤ回路２０４の出力は「０」である。これによればスイッチ２０６は切断状態となる。
【０１１７】
一方、駆動電極Ｔｘ１に対して設けられているシフトレジスタ回路２１１の出力は「０」であるため、インバータ２１２の出力は「１」である。また、検出方式指定信号ＳＥＬＦＥＮｇは「０」であるため、当該検出方式指定信号ＳＥＬＦＥＮが入力されるインバータ２１３の出力は「１」である。この場合、駆動電極Ｔｘ１に対して設けられているＡＮＤ回路２１４の両方の端子に「１」が入力されるため、当該ＡＮＤ回路２１４の出力は「１」である。これによれば、このＡＮＤ回路２１４の出力に応じてスイッチ２１６が接続状態となるため、駆動電極Ｔｘ１には、当該スイッチ２１６を介して直流電圧ＶＣＯＭＤＣが供給される。ここでは駆動電極Ｔｘ１について説明したが、駆動電極Ｔｘ２〜Ｔｘ５についても同様に、直流電圧ＶＣＯＭＤＣが供給される。
【０１１８】
また、駆動電極ＴｘＲに対して設けられているシフトレジスタ回路の出力は「０」であるため、インバータの出力は「１」である。また、検出方式指定信号ＳＥＬＦＥＮは「０」であるため、当該検出方式指定信号ＳＥＬＦＥＮが入力されるインバータの出力は「１」である。この場合、駆動電極ＴｘＲに対して設けられているＡＮＤ回路の両方の端子に「１」が入力されるため、当該ＡＮＤ回路の出力は「１」である。これによれば、このＡＮＤ回路の出力に応じてスイッチが接続状態となるため、駆動電極ＴｘＲには、当該スイッチを介して接地電圧が供給される。
【０１１９】
すなわち、図１１に示すタッチ検出期間Ｔ１においては、駆動電極ＴｘＬにのみ駆動パルスＴＳＶＣＯＭが供給される。また、図１１には示されていないが、駆動電極Ｔｘ１〜Ｔｘ５に直流電圧ＶＣＯＭＤＣが供給され、駆動電極ＴｘＲに接地電圧が供給される。
【０１２０】
次に、タッチ駆動信号が駆動電極Ｔｘ１に供給されるタッチ検出期間Ｔ２について説明する。タッチ検出期間Ｔ２においては、駆動電極Ｔｘ１に対して設けられているシフトレジスタ回路２１１が選択される。この場合、シフトレジスタ回路２１１は、「１」を出力する。
【０１２１】
上記したようにシフトレジスタ回路２１１の出力（ＳＲｏｕｔ１）が「１」である場合、スイッチ２１５は、接続状態となる。これによれば、駆動電極Ｔｘ１には、駆動パルスＴＳＶＣＯＭが供給される。なお、駆動電極Ｔｘ２に供給される駆動パルスＴＳＶＣＯＭの信号レベルは例えば５Ｖである。
【０１２２】
これにより、タッチ検出ドライバ１２１は、駆動電極Ｔｘ１とタッチ検出電極Ｒｘとの間の相互静電容量に基づいて当該駆動電極Ｔｘ１が配置されている表示領域ＤＡに対する物体の接触を検出することができる。
【０１２３】
なお、シフトレジスタ回路２１１が選択されている場合、他のシフトレジスタ回路の出力は「０」であるため、駆動電極ＴｘＬ、Ｔｘ２〜Ｔｘ５及びＴｘＲには、駆動パルスＴＳＶＣＯＭは供給されない。この場合、詳細については省略するが、駆動電極ＴｘＬ及びＴｘＲには接地電圧が供給され、駆動電極Ｔｘ２〜Ｔｘ５には直流電圧ＶＣＯＭＤＣが供給される。
【０１２４】
以下同様に、タッチ検出期間Ｔ３においては駆動電極Ｔｘ２に駆動パルスＴＳＶＣＯＭが供給され、タッチ検出期間Ｔ４においては駆動電極Ｔｘ３に駆動パルスＴＳＶＣＯＭが供給され、タッチ検出期間Ｔ５においては駆動電極Ｔｘ４に駆動パルスＴＳＶＣＯＭが供給され、タッチ検出期間Ｔ６においては駆動電極Ｔｘ５に駆動パルスＴＳＶＣＯＭが供給される。また、タッチ検出期間Ｔ７においては、タッチ検出期間Ｔ１における駆動電極ＴｘＬと同様に、駆動電極ＴｘＲに駆動パルスＴＳＶＣＯＭが供給される。
【０１２５】
相互容量検出方式によるタッチ検出動作が実行される場合には、上記したように駆動電極ＴｘＬ、Ｔｘ１〜Ｔｘ５及びＴｘＲに対して駆動パルスＴＳＶＣＯＭが順次供給される。
【０１２６】
ここでは駆動電極ＴｘＬ、Ｔｘ１〜Ｔｘ５及びＴｘＲの順に駆動パルスＴＳＶＣＯＭが供給されるものとして説明したが、当該駆動パルスＴＳＶＣＯＭが供給される駆動電極の順番は適宜変更されても構わない。
【０１２７】
ここで、相互容量検出方式から自己容量検出方式に切り替えられた場合を想定する。自己容量検出方式によるタッチ検出動作が実行される場合には、自己容量検出方式用のタッチ駆動信号ＰａｄＮが駆動電極ＴｘＬ、Ｔｘ１〜Ｔｘ５およびＴｘＲにそれぞれ供給される。
【０１２８】
自己容量検出方式によるタッチ検出動作が実行されるタッチ検出期間Ｔ８においては、タッチ検出ドライバ１２１は、自己容量検出方式用のタッチ駆動信号ＰａｄＮ（ＰａｄＬ、Ｐａｄ１〜Ｐａｄ５及びＰａｄＲ）を出力（供給）する。
【０１２９】
なお、自己容量検出方式によるタッチ検出動作が実行される場合、検出方式指定信号ＳＥＬＦＥＮは「１」である。この場合、例えば駆動電極ＴｘＬに対して設けられているスイッチ２０７は接続状態となるので、駆動電極ＴｘＬには、タッチ検出ドライバ１２１から出力されたタッチ駆動信号ＰａｄＬが供給される。なお、駆動電極Ｔｘ１〜Ｔｘ５及びＴｘＲの各々に対して設けられている同様のスイッチについても接続状態となるので、当該駆動電極Ｔｘ１〜Ｔｘ５及びＴｘＲにも同様に、タッチ駆動信号Ｐａｄ１〜Ｐａｄ５及びＰａｄＲがそれぞれ供給される。
【０１３０】
これにより、タッチ検出ドライバ１２１は、駆動電極ＴｘＬ、Ｔｘ１〜Ｔｘ５及びＴｘＲの自己静電容量に基づいて物体の接触を検出することができる。
【０１３１】
なお、図１１に示すように、自己容量検出方式によるタッチ検出動作が実行されている（つまり、検出方式指定信号ＳＥＬＦＥＮが「１」である）場合、相互容量検出方式用のタッチ駆動信号（駆動信号ＥＸＶＣＯＭ及び駆動パルスＴＳＶＣＯＭ）は出力されない。
【０１３２】
また、例えば駆動電極ＴｘＬに対して設けられているシフトレジスタ回路２０１の出力は「０」であるため、インバータ２０２の出力は「１」である。自己容量検出方式によるタッチ検出動作が実行されている場合の検出方式指定信号ＳＥＬＦＥＮは「１」であるため、インバータ２０３の出力は「０」である。この場合、ＡＮＤ回路２０４の出力は「０」であるため、スイッチ２０６は切断状態となる。ここでは駆動電極ＴｘＬに対して設けられているスイッチ２０６について説明したが、他の駆動電極Ｔｘ１〜Ｔｘ５及びＴｘＲの各々に対して設けられている同様のスイッチについても同様に切断状態となる。
【０１３３】
自己容量検出方式によるタッチ検出動作が実行される場合には、上記したように駆動電極ＴｘＬ、Ｔｘ１〜Ｔｘ５及びＴｘＲに対して自己容量検出方式用のタッチ駆動信号ＰａｄＮがそれぞれ供給される。
【０１３４】
なお、ここではタッチ検出期間Ｔ８について説明したが、例えばタッチ検出期間Ｔ９において自己容量検出方式によるタッチ検出動作が実行される場合には、タッチ検出期間Ｔ８と同様の動作が実行される。
【０１３５】
上記したように本実施形態においては、駆動電極ＴｘＬ及びＴｘＲ（第１電極）が額縁領域ＦＡに重畳するように第１基板１１１に配置され、複数のタッチ検出電極Ｒｘ（第２電極）が表示領域ＤＡに重畳するように第２基板１１２に配置される。本実施形態においては、駆動電極ＴｘＬ及びＴｘＲに対するタッチ駆動信号を出力（供給）することによって、当該駆動電極ＴｘＬ及びＴｘＲと複数のタッチ検出電極Ｒｘとの間の静電容量の変化に基づいて額縁領域ＦＡに対する物体（例えば、指先等）の接触または近接を検出する。
【０１３６】
本実施形態においては、このような構成により、上述した本実施形態に対する比較例と比較して駆動電極ＴｘＬ及びＴｘＲをタッチ検出ドライバ１２１に接続するためのフレキシブル配線基板を設ける必要がないため、額縁領域ＦＡにおいてタッチ検出機能を実現するとともに、コストを低減することが可能となる。
【０１３７】
また、本実施形態においては、表示領域ＤＡに重畳するように配置された複数の駆動電極Ｔｘ（第３電極）にタッチ駆動信号を出力（供給）することによって、当該複数の駆動電極Ｔｘ及び複数のタッチ検出電極Ｒｘとの間の静電容量の変化に基づいて当該表示領域ＤＡに対する物体の接触または近接を検出する。本実施形態においては、このような構成により、表示領域ＤＡ及び額縁領域ＦＡの両方に対する物体の接触及び近接を検出することが可能となる。
【０１３８】
また、本実施形態においては、駆動電極ＴｘＬ、ＴｘＲ及びＴｘとタッチ検出電極Ｒｘとの間の相互静電容量に基づいて物体の接触または引接を検出するタッチ検出動作（第１の検出動作）と、駆動電極ＴｘＬ、ＴｘＲ及びＴｘの各々の自己静電容量に基づいて物体の接触または近接を検出するタッチ検出動作（第２の検出動作）とを切り替える構成により、適切なタッチ検出動作（相互容量検出方式及び自己容量検出方式）により物体の接触または近接を検出することが可能となる。
【０１３９】
また、本実施形態において、複数のタッチ検出電極Ｒｘは、表示領域ＤＡの短辺（第１の辺）に沿う方向（第１の方向）に延出し、当該表示領域ＤＡの長辺（第１の辺に隣接する第２の辺）に沿う方向（第２の方向）に配列される。また、複数の駆動電極Ｔｘは、表示領域ＤＡの長辺に沿う方向に延出し、当該表示領域ＤＡの短辺に沿う方向に配列される。また、駆動電極ＴｘＬ及びＴｘＲは、表示領域ＤＡの長辺に沿う方向に延出し、当該表示領域ＤＡを挟んで対向するように第１基板１１１に配置される。本実施形態においては、このような構成により、例えば図５に示すスマートフォンのような表示装置１０における表示領域ＤＡの両側の額縁領域ＦＡに対する物体の接触または近接を検出することができる。これによれば、図１２に示すように、額縁領域ＦＡにおいて指先等が接触している箇所に基づいて例えばスマートフォンを片手で把持しているような状態を検出することが可能となる。また、スマートフォンを例えば左手で把持している状態において親指等で表示領域ＤＡの左側の額縁領域ＦＡをタッチまたはスワイプすることにより各種操作（例えば、カメラのシャッター操作、画面のスクロール操作及びボリュームコントロール操作等）を行うことも可能となる。なお、このような操作は、スマートフォンを片手で把持しているような状態が検出された場合に、有効にされるようにしてもよい。
【０１４０】
また、本実施形態において、例えば駆動電極ＴｘＲと複数の駆動電極Ｔｘの配列において当該駆動電極ＴｘＲ側の端に位置する駆動電極Ｔｘとの間の間隔は、当該複数の駆動電極Ｔｘの各々の間隔よりも広い。具体的には、駆動電極ＴｘＲは、複数の駆動電極Ｔｘとタッチ検出ドライバ１２１とを接続する配線１１２ａと重ならない位置に配置される。本実施形態においては、このような構成により、配線１１２ａが駆動電極ＴｘＲからタッチ検出電極Ｒｘへの電気力線の妨げとなることを回避することが可能となるため、タッチ検出精度の低下を抑制することができる。
【０１４１】
また、本実施形態においては、表示領域ＤＡの短辺に沿う方向に延出するタッチ検出電極ＲｘＢが当該表示領域ＤＡの長辺に沿うように第２基板１１２に配置される。このような構成によれば、別途部品等を設計して組み合わせることなく、例えば図５に示すスマートフォンのような表示装置１０の表示領域ＤＡの下部等において入力ボタンのような機能を実現することが可能となる。更に、本実施形態においては、表示領域ＤＡの短辺に沿う方向に延出するタッチ検出電極ＲｘＵを、表示領域ＤＡを挟んでタッチ検出電極ＲｘＢと対向するように第２基板１１２に配置することにより、当該表示領域ＤＡの上部（の額縁領域ＦＡ）においても物体の接触または近接を検出することが可能となる。
【０１４２】
また、本実施形態においては、表示領域ＤＡに画像を表示するための複数の共通電極ＣＯＭＥを物体の接触または近接を検出するための複数の駆動電極Ｔｘとして利用し、当該表示領域ＤＡに画像を表示する表示動作とタッチ検出動作とを時分割により実行する構成により、表示装置１０の薄型化及び画質の向上を実現することができる。
【０１４３】
なお、本実施形態において、駆動電極Ｔｘ（共通電極ＣＯＭＥ）は透明な導電材料（例えば、ＩＴＯ）で形成されるものとして説明したが、駆動電極ＴｘＬ及びＴｘＲについても同様の材料（つまり、駆動電極Ｔｘ用のＩＴＯ）で形成されるものとする。これによれば、表示パネル１１の製造過程において、駆動電極ＴｘＬ、ＴｘＲ及びＴｘを効率的に形成することが可能となる。なお、駆動電極ＴｘＬ及びＴｘＲは、例えば画素電極用のＩＴＯで形成されても構わない。
【０１４４】
また、第１基板１１１には、図１３に示すように、例えば水分の浸入の防止または黒シミ対策等のために、複数の駆動電極Ｔｘを囲むようにシールド電極３００が形成されている。このシールド電極３００は、ＩＴＯ等で形成されており、直流電圧ＶＣＯＭＤＣが供給されることによってシールドとして機能する。なお、シールド電極３００は、額縁領域ＦＡに重畳する位置に配置されているものとする。
【０１４５】
ここで、本実施形態においては、図１３に示すシールド電極３００の一部を駆動電極ＴｘＬ及びＴｘＲとして使用する構成としてもよい。具体的には、図１４に示すように、シールド電極３００の左側の辺（の一部）３０１及び右側の辺（の一部）３０２をそれぞれ駆動電極ＴｘＬ及びＴｘＲとして使用することができる。この場合、駆動電極ＴｘＬ及びＴｘＲは、それぞれタッチ検出ドライバ１２１と接続される。なお、シールド電極３００のうちの駆動電極ＴｘＬ及びＴｘＲとして使用されない部分３０３及び３０４には、それぞれ直流電圧ＶＣＯＭＤＣが供給されるものとする。
【０１４６】
なお、シールド電極３００とは別個に駆動電極ＴｘＬ及びＴｘＬを形成する場合、当該駆動電極ＴｘＬ及びＴｘＲは、当該シールド電極３００と駆動電極Ｔｘとの間に配置されればよい。
【０１４７】
また、第２基板１１２には、図１５に示すように、例えば下層に配置されている回路（例えば、パネル回路等）からのノイズをシールドするためのシールド電極４０１及び静電気対策としてのシールド電極４０２が形成されている。シールド電極４０１は、例えば駆動電極ＴｘＬ、Ｔｘ１〜Ｔｘ５及びＴｘＲに対して出力されるタッチ駆動信号（駆動パルスＴＳＶＣＯＭ）に基づいて生じるノイズをシールドする位置（すなわち、タッチ駆動信号を供給するための配線等に重畳する位置）に配置されている。なお、シールド電極４０１及び４０２は、例えば金属材料（メタル）で形成されている。
【０１４８】
ここで、本実施形態においては、図１５に示すシールド電極４０１及び４０２の一部をタッチ検出電極ＲｘＢ及びＲｘＵとして使用する構成としてもよい。具体的には、図１６に示すように、シールド電極４０１の上側の一部を４０１ａをタッチ検出電極ＲｘＢとして使用することができる。この場合、シールド電極４０１のタッチ検出電極ＲｘＢとして使用されない部分４０１ｂは、上記したシールド電極４０１と同様にシールドとして機能させることができる。一方、シールド電極４０２は省略されても影響が少ないため、図１６に示すように、当該シールド電極４０２の全部をタッチ検出電極ＲｘＵとして使用しても構わない。なお、シールド電極４０２は、シールド電極４０１と同様に分割されて、下側の一部をタッチ検出電極ＲｘＵとして使用し、上側の一部をシールドとして機能させることも可能である。
【０１４９】
タッチ検出電極ＲｘＢ及びＲｘＵは、タッチ検出電極Ｒｘと同様に、例えばＩＴＯ等によって形成されても構わない。
【０１５０】
なお、本実施形態においてはインセル型と称されるタッチ検出機構１２を備える表示装置１０について説明したが、本実施形態は、例えばオンセル型のタッチ検出機構を備える表示装置として実現されても構わない。
【０１５１】
更に、本実施形態においては表示装置１０がスマートフォンであるものとして主に説明したが、本実施形態に係る表示装置は、額縁領域に相当する領域を有する電子機器、例えば携帯電話端末、パーソナルコンピュータ、テレビ受像装置、車載装置、ゲーム機及びウェアラブル端末等に適用されても構わない。
【０１５２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１５３】
Ｔｘ，ＴｘＬ，ＴｘＲ…駆動電極、Ｒｘ，ＲｘＢ，ＲｘＵ…タッチ検出電極、１０…表示装置、１１…表示パネル、１２…タッチ検出機構、１３…バックライトユニット、１１１…第１基板、１１２…第２基板、１１２ａ…配線、１１３…パネルドライバ、１１３ａ…レベルシフタ、１２１…タッチ検出ドライバ、２０１，２１１…シフトレジスタ回路、２０２，２０３，２１２，２１３…インバータ、２０４，２１４…ＡＮＤ回路、３００，４０１，４０２…シールド電極。
【図１】
2018124650.tif 000003
【図２】
2018124650.tif 000004
【図３】
2018124650.tif 000005
【図４】
2018124650.tif 000006
【図５】
2018124650.tif 000007
【図６】
2018124650.tif 000008
【図７】
2018124650.tif 000009
【図８】
2018124650.tif 000010
【図９】
2018124650.tif 000011
【図１０】
2018124650.tif 000012
【図１１】
2018124650.tif 000013
【図１２】
2018124650.tif 000014
【図１３】
2018124650.tif 000015
【図１４】
2018124650.tif 000016
【図１５】
2018124650.tif 000017
【図１６】
2018124650.tif 000018